(57)【要約】【課題】  拡散板の撓み防止として支柱を設けると、拡散板上面に暗い領域ができる。【解決手段】  絶縁性を有するプリント基板１の上面にLED２を実装し、LED２の側面周囲を枠部材３で囲み、LED２に対向して、枠部材３の上面に拡散板４を配設する。プリント基板１の略中央部に位置し、プリント基板１と拡散板４との間に、透光性樹脂よりなる円錐状の拡散板支持部材５を配設する。拡散板支持部材５の側面に光の反射機能を有するアルミ蒸着または銀蒸着などの反射膜６を形成する。拡散板の撓みを防止すると同時に、拡散板上に支柱の影による暗い領域の発生をなくし、反射膜により、LEDの光の利用効率が向上し、LEDの個数の削減ができ、薄型化、軽量化、高輝度化が可能な発光ダイオードを用いたLCDバックライトが可能である。【選択図】    図２
2006190722.tif 000002
【特許請求の範囲】
【請求項１】
絶縁性を有するプリント基板の上面に発光ダイオード（LED）を実装し、前記LEDの側面周囲を枠部材で囲み、前記LEDに対向して、前記枠部材の上面に拡散板を配設した直下型のLCDバックライトにおいて、前記プリント基板と前記拡散板との間に、拡散板支持部材を配設したことを特徴とする発光ダイオードを用いたLCDバックライト。
【請求項２】
前記拡散板支持部材は前記プリント基板の略中央部に配設し、その形状は、円錐状の支柱であることを特徴とする請求項１記載の発光ダイオードを用いたLCDバックライト。
【請求項３】
前記拡散板支持部材は、透光性樹脂よりなることを特徴とする請求項２記載の発光ダイオードを用いたLCDバックライト。
【請求項４】
前記拡散板支持部材の側面に光の反射機能を付加したことを特徴とする請求項１から３のいずれか１項に記載の発光ダイオードを用いたLCDバックライト。
【請求項５】
前記拡散板支持部材の側面に付加した反射機能は、その表面に、アルミ蒸着または銀蒸着などの反射膜を形成したことを特徴とする請求項４記載の発光ダイオードを用いたLCDバックライト。
【発明の詳細な説明】
【技術分野】
【０００１】
本発明は、液晶表示装置を背面より照射する発光ダイオードを用いたLCDバックライトに関するものである。
【背景技術】
【０００２】
近年、光通信機能を搭載したノート型パソコン、PDA、携帯電話等の各種電子機器の表示装置として、薄型で見やすいバックライト機構を備えた液晶表示装置が広く用いられている。このようなバックライト機構としては、液晶表示装置を背面から全面にわたり照射する面状光源が用いられており、その面状光源としては蛍光ランプまたは発光ダイオード（LED）よりなる発光源と、該LEDの照射光を一様にLCD側に拡散する拡散板を備えたものが一般的である。特に、小型化、薄型化及び長寿命化を目的として発光源としてLED等を用いた面状光源が多く使用されている。
【０００３】
かかる面状光源により白色の照射光を出射させ、パネル等に対し白色の照射をしようとするとき、発光源として白色の蛍光ランプを用いるが、LEDの場合は、赤色（R）、緑色（G）、青色（B）の３種類の高輝度LEDを同時点灯、又は時分割点灯して、白色光を合成するのが一般的であった。更に最近は、LEDの場合、単独に白色に近い光を発光する白色のLEDが開発され、利用されるようになってきた。この白色のLEDを用いることにより、小型で簡単な構成で白色照明を目的とする面状光源を形成することが可能になった。（例えば、特許文献１参照）
【０００４】
上記した特許文献１に開示されている発光ダイオードを用いたLCDバックライトは、図３に示すように、絶縁性を有するプリント基板１０の上面に複数個のLED（発光ダイオード）１１を所定の位置に実装する。前記LED１１の側面周囲を反射枠（枠部材）１２で囲み、前記LED１１に対向して、前記枠部材１２の上面に散乱シート（拡散板）１３を配設する。また、プリント基板１０の表面にLED１１の光を上方に反射するために白色光沢印刷が施されて、LCDバックライトを構成する。
【特許文献１】実開昭６４−４９８８６号公報（第３頁、図１）
【０００５】
上記したLCDバックライトの構造において、前記拡散板１３は、前記プリント基板１０上に配設した枠部材１２の外周部のみで支えられているため、拡散板１３が薄いと図３に示すように、拡散板１３の中央部が撓んでしまう。そのため、拡散板１３からの出射光は散乱してしまい、LCDバックライト照明として利用効率が低下する。拡散板１３が撓まないようにするために、拡散板１３の板厚を厚くすると、LCDバックライト装置の軽量化、薄型化に逆行してしまう。
【０００６】
そこで、拡散板１３が薄くても撓まないようにするために、図４に示すように、前記プリント基板１０の略中央部近傍において、前記プリント基板１０と前記拡散板１３の間に円柱形状をした拡散板支持部材１４を建てて、拡散板１３の撓み防止対策を行った。
【発明の開示】
【発明が解決しようとする課題】
【０００７】
解決しようとする問題点は、上記したように、円柱形状をした拡散板支持部材１４を配設することにより、円柱の真上が遮光されるため、拡散板１３の上面に暗い領域１５ができてしまう、という問題があった。
【０００８】
本発明は、上述した欠点を解消するために、その目的は、光の利用効率を向上し、薄型化、軽量化、高輝度化した、発光ダイオードを用いたLCDバックライトを可能にしたものである。
【課題を解決するための手段】
【０００９】
上記課題を解決するために、本発明における発光ダイオードを用いたLCDバックライトは、絶縁性を有するプリント基板の上面にLEDを実装し、前記LEDの側面周囲を枠部材で囲み、前記LEDに対向して、前記枠部材の上面に拡散板を配設した直下型のLCDバックライトにおいて、前記プリント基板と前記拡散板との間に、拡散板支持部材を配設したことを特徴とするものである。
【００１０】
また、前記拡散板支持部材は前記プリント基板の略中央部に配設し、その形状は、円錐状の支柱であることを特徴とするものである。
【００１１】
また、前記拡散板支持部材は、透光性樹脂よりなることを特徴とするものである。
【００１２】
また、前記拡散板支持部材の側面に光の反射機能を付加したことを特徴とするものである。
【００１３】
また、前記拡散板支持部材の側面に付加した反射機能は、その表面に、アルミ蒸着または銀蒸着などの反射膜を形成したことを特徴とするものである。
【発明の効果】
【００１４】
本発明の発光ダイオードを用いたLCDバックライトは、光の反射機能を有する、円錐状の支柱で拡散板を支えることにより、拡散板の撓みを防止すると同時に、拡散板上に支柱の影による暗い領域の発生を無くし、支柱の側面に施した反射機能により、LEDの光の利用効率が向上し、LEDの個数を削減が可能で、薄型化、軽量化、高輝度化が可能な、発光ダイオードを用いたLCDバックライトを提供するものである。
【発明を実施するための最良の形態】
【００１５】
本発明の発光ダイオードを用いたLCDバックライトについて、図面に基づいて説明する。
【実施例１】
【００１６】
図１は、本発明の実施例に係わるLCDバックライト装置の断面図である。図１において、１はガラスエポキシ樹脂などよりなる絶縁性を有するプリント基板で、その上面には図示しない所定の導電パターンと、下面には外部接続用電極と、前記上下面電極を接続するスルーホール電極が形成されている。該プリント基板１の上面側の所定位置に、複数のLED２が実装されている。
【００１７】
前記LED２の側面周囲を枠部材３で囲み、前記LED２に対向して、前記枠部材３の上面に拡散板４を配設している。前記プリント基板１の略中央部近傍において、前記プリント基板１と前記拡散板４の間に円錐状をした透光性樹脂よりなる拡散板支持部材５を建てて、円錐状の支柱の先端部で拡散板４の下面に当接するように支持する。
【００１８】
以上述べた構成のLCDバックライトの作用・効果について説明する。従来の拡散板支持部材は円柱形状のため、拡散板の上部が遮光されて暗い領域が発生したが、本実施例では、拡散板支持部材の円錐状の先端部で略点接触で支持するため、拡散板の上部が遮光されることがなく、従って、暗い領域は発生しない。また、拡散板支持部材が透光性樹脂のため、LEDからの照射光を有効に利用することができる。
【実施例２】
【００１９】
図２は、本発明の実施例２に係るLCDバックライト装置の断面図である。上記した実施例１と異なるところは、前記拡散板支持部材の側面に光の反射機能を付加したことである。
図２において、円錐状をした透光性樹脂よりなる拡散板支持部材５の側面に、アルミ蒸着または銀蒸着などの反射膜６を形成する。
【００２０】
上記構成のLCDバックライトの作用・効果は、拡散板支持部材の側面に、高反射率となるような表面処理を施すことにより、LEDの照射光の利用効率が更に向上させる。実施例１と同様に、拡散板の撓み防止ができ、拡散板からの出射光に暗い領域を作ることもない。
【００２１】
以上のべたように、本発明のLCDバックライトは、高輝度化に伴い、LEDの個数を削減することも可能になり、その分コストダウンが期待できる。また、拡散板を厚くすることなく、LCDバックライトの薄型化、軽量化及び高輝度化が可能な、発光ダイオードを用いたLCDバックライトを提供することが可能である。
【図面の簡単な説明】
【００２２】
【図１】本発明の実施例１に係わるLCDバックライト装置の断面図である。
【図２】本発明の実施例２に係わるLCDバックライト装置の断面図である。
【図３】従来技術に係わるLCDバックライト装置の断面図である。
【図４】従来技術に係わる他のLCDバックライト装置の断面図である。
【符号の説明】
【００２３】
１  プリント基板
２  LED
３  枠部材
４  拡散板
５  拡散板支持部材
６  反射膜
【図１】
2006190722.tif 000003
【図２】
2006190722.tif 000004
【図３】
2006190722.tif 000005
【図４】
2006190722.tif 000006